(57)【要約】【課題】地中埋込型照明器具において、灯具の光出射面に加わった荷重による箱体の変形を防止すると共に、箱体の高さ方向のサイズを小さくする。【解決手段】地中埋込型照明器具１は、光源を収納する筒状の灯具２と、灯具２を挿入するための開口３０が上面部３２に形成され、この開口３０に挿入された灯具２を支持する箱体３とを備え、箱体３は、灯具２の光出射面２ａが地表面Ｇに露出し、灯具２の下端部２ｂが箱体３の内底面３１ａに当接した状態で灯具２を支持する。地中埋込型照明器具１は、灯具２の光出射面２ａに加わった荷重を、箱体３の底部を介して箱体３が設置された地面で支持することができる。このため、光出射面２ａに加わった荷重による箱体３の変形を防止することができ、箱体３で灯具２を確実に支持することができる。【選択図】図１
2006318802.tif 000002
【特許請求の範囲】
【請求項１】
光源を収納する筒状の灯具と、前記灯具を挿入するための開口が上面部に形成され、該開口に挿入された前記灯具を支持する箱体とを備えた地中埋込型照明器具であって、
前記箱体は、前記灯具の光出射面が地表面に露出し、前記灯具の下端部が該箱体の内底面に当接した状態で該灯具を支持することを特徴とする地中埋込型照明器具。
【請求項２】
前記箱体の上面部が取り外し自在であることを特徴とする請求項１に記載の地中埋込型照明器具。
【請求項３】
前記灯具は、電源線を導出するための導出部を側面に有し、
前記導出部は、前記灯具から導出された前記電源線を、前記灯具の側面から所定長さだけ略水平方向に案内することを特徴とする請求項１又は請求項２に記載の地中埋込型照明器具。
【発明の詳細な説明】
【技術分野】
【０００１】
本発明は、地中に埋め込まれて使用される地中埋込型照明器具に関する。
【背景技術】
【０００２】
近年、商業施設の大規模化に伴い、広い空間を統一感のある雰囲気にするために様々な演出手法が要求されている。このような演出手法の１つとして、地中埋込型照明器具の使用があり、夜間における施設外観等の演出のために活用されている。また、近年の商業施設においては、屋外のみならず屋内でも地中埋込型照明器具を使った演出が行われる場合があり、例えば、屋内のエントランス等でも地中埋込型照明器具が使われる場合がある。従来、このような地中埋込型照明器具として、光源を収納する筒状の灯具と、この灯具を地表面に対して出没自在に地下に収納する箱体とを備えた照明器具が知られている（例えば、特許文献１参照）。
【特許文献１】実開昭５６−２５０６号公報
【発明の開示】
【発明が解決しようとする課題】
【０００３】
しかしながら、従来の地中埋込型照明器具においては、灯具を箱体の内側面や上面で支持していたため、地表面に露出した灯具の上端部（光出射面）に荷重が加わった場合、支持構造が変形する虞があった。
【０００４】
また、灯具に収納された光源に電力を供給する電源線は、通常、箱体内に収納され、灯具の検査作業等において箱体から灯具が引き出せるように、ある程度余裕をもった長さに調整される。このため、電源線を収納するために、箱体内に大きな収納スペースを確保する必要がある。従って、例えば、特許文献１に記載される地中埋込型照明器具のように、灯具の下面に電源線を導出するための導出部を備え、灯具の下方に電源線の収納スペースを有する照明器具においては、箱体の高さ方向のサイズが大きくなる。上述したように、近年、地中埋込型照明器具は、屋内のエントランス等に設置される場合があり、浅く張られたタイルやコンクリート等に埋め込まれることがあるため、箱体の高さ方向のサイズが大きいと、地中埋込型照明器具の設置場所が制限されるという問題がある。
【０００５】
本発明は、かかる点に鑑みてなされたものであり、地表面に露出した灯具の光出射面に荷重が加わった場合であっても灯具を支持する箱体が変形する虞がなく、箱体の高さ方向のサイズを小さくすることができる地中埋込型照明器具を提供することを目的とする。
【課題を解決するための手段】
【０００６】
上記目的を達成するために請求項１の発明は、光源を収納する筒状の灯具と、前記灯具を挿入するための開口が上面部に形成され、該開口に挿入された前記灯具を支持する箱体とを備えた地中埋込型照明器具であって、前記箱体は、前記灯具の光出射面が地表面に露出し、前記灯具の下端部が該箱体の内底面に当接した状態で該灯具を支持することを特徴とする。
【０００７】
請求項２の発明は、請求項１に記載の地中埋込型照明器具において、前記箱体の上面部が取り外し自在であることを特徴とする。
【０００８】
請求項３の発明は、請求項１又は請求項２に記載の地中埋込型照明器具において、前記灯具は、電源線を導出するための導出部を側面に有し、前記導出部は、前記灯具から導出された前記電源線を、前記灯具の側面から所定長さだけ略水平方向に案内することを特徴とする。
【発明の効果】
【０００９】
請求項１に記載の地中埋込型照明器具によれば、箱体は、灯具の光出射面が地表面に露出し、灯具の下端部が箱体の内底面に当接した状態で灯具を支持するので、灯具の光出射面に加わった荷重を、箱体の底部を介して箱体が設置された地面で支持することができる。このため、灯具の光出射面に加わった荷重による箱体の変形を防止することができ、箱体で灯具を確実に支持することができる。
【００１０】
請求項２に記載の地中埋込型照明器具によれば、箱体の上面部が取り外し自在であるので、箱体を地中に埋め込んだ状態で上面部を取り外して箱体内部への電源線の引き込みや結線が可能となり、照明器具の施工作業が容易になる。
【００１１】
請求項３に記載の地中埋込型照明器具によれば、灯具は電源線を導出するための導出部を側面に有するので、照明器具の下方に電源線を収納するための収納スペースを確保する必要がなくなる。このため、箱体の高さ方向のサイズを小さくすることができる。
【００１２】
また、灯具から導出された電源線は、導出部により灯具の側面から所定長さだけ略水平方向に案内されるので、灯具を箱体内に収納する際、灯具の下端部と箱体の内底面の間に灯具から導出された電源線が挟まれることを防止することができる。
【発明を実施するための最良の形態】
【００１３】
以下、本発明の一実施形態に係る地中埋込型照明器具について図面を参照して説明する。図１は、本実施形態に係る地中埋込型照明器具を示す。地中埋込型照明器具１は、地中に埋め込まれて使用される器具であり、光源を収納する筒状の灯具２と、この灯具２の少なくとも下端側を収納する箱体３とを備えている。
【００１４】
箱体３は、灯具２の下端側及び灯具２から導出された電源線４を収納する収納部３１と、この収納部３１に取り外し自在に取り付けられるカバー部（上面部）３２とを備えている。カバー部３２には、灯具２を挿入するための開口３０が形成されている。
【００１５】
灯具２は、光源から出射された光を上方に向けて照射するための光出射面２ａを上端側に有している。また、灯具２は、電源線４を導出するための導出部５を側面２ｃの下端側に有している。導出部５は、灯具２から導出された電源線４を、灯具２の側面２ｃから所定長さだけ略水平方向ａに案内する。すなわち、電源線４が灯具２から導出された直後に自重で下方に折れ曲がらないようにし、電源線４が灯具２の下方に配置され難くなるように導出部５を灯具２の側面２ｃに形成する。このような導出部５の構造は、例えば、所定の弾性（すなわち、電源線４及び自重により容易に下方に折れ曲がらない程度の弾性）を有する所定長さのパイプ等を灯具２の側面２ｃに対して略垂直方向に配置し、これに電源線４を挿入することにより形成される。
【００１６】
箱体３は、灯具２の光出射面２ａが地表面Ｇに露出し、灯具２の下端部２ｂが箱体３の内底面３１ａに当接した状態で、開口３０に挿入された灯具２を支持する。灯具２から導出された電源線４は導出部５に案内されて、収納された灯具２の側方に形成された収納スペースに収納される。
【００１７】
次に、上記構成の地中埋込型照明器具１の施工方法例について図２乃至図５を参照して説明する。まず、地面に地中埋込型照明器具１を埋め込む凹部を形成し、この凹部に箱体３を設置する。この際、凹部の底部に箱体の底部が略面で接触するように箱体３を設置する。そして、この状態で、図２に示されるように、収納部３１からカバー部３２を取り外し、図３に示されるように、電源線４の引き込み作業及び結線作業を行う。なお、結線部分は、防水のため樹脂等で固められる。電源線４の引き込み作業及び結線作業が終了すると、図４に示されるように、灯具２を収納部３１内に設置し、電源線４を灯具２の側方に配置して収納部３１にカバー部３２を取り付ける。そして、図５に示されるように、カバー部３２の上にモルタルやタイル等を張り、地面と灯具２の隙間に防水シール材７などを充填する。こうして、地中埋込型照明器具１の施工は完了する。
【００１８】
このように本実施形態の地中埋込型照明器具１によれば、箱体３は、灯具２の光出射面２ａが地表面Ｇに露出し、灯具２の下端部２ｂが箱体３の内底面３１ａに当接した状態で灯具２を支持するので、灯具２の光出射面２ａに加わった荷重を、箱体３の底部を介して、箱体３が設置された地面で支持することができる。このため、灯具２の光出射面２ａに加わった荷重による箱体３の変形を防止することができ、箱体３で灯具２を確実に支持することができる。また、灯具２に加わった荷重を箱体３の底部を介して地面で支持するようにし、箱体３のみで荷重を支持する必要がないため、箱体３の構造を単純化することができ、箱体の製造コストを抑えることができる。
【００１９】
また、箱体３のカバー部３２が取り外し自在であるので、箱体３を地中に埋め込んだ状態でカバー部３２を取り外して箱体３内部への電源線４の引き込みや結線が可能となり、照明器具の施工作業が容易になる。
【００２０】
更に、灯具２は電源線４を導出するための導出部５を側面に有するので、照明器具の下方に電源線４を収納するための収納スペースを確保する必要がなくなる。このため、箱体３の高さ方向ｂ（図１参照）のサイズを小さくすることができる。
【００２１】
また、灯具２から導出された電源線４は、導出部５により灯具２の側面から所定長さだけ略水平方向ａに案内されるので、灯具２を箱体３内に収納する際、灯具２の下端部２ｂと箱体３の内底面３１ａの間に灯具２から導出された電源線４が挟まれることを防止することができる。
【００２２】
また、導出部５を灯具２の下端側に設けることにより、地中埋込型照明器具１を地中に埋め込んだ状態で灯具２を箱体３から引き出す際、導出部５がカバー部３２に引っかかり難くなり、図６に示されるように、容易に灯具２を箱体３から引き出すことできる。このため、地中埋込型照明器具１を設置した後の灯具２の検査作業等が容易になる。また、例えば、灯具２が故障又は寿命に達した場合、カバー部３２に被せられたモルタル等を取り除いて、カバー部３２を取り外すことにより、結線等のやり直しを簡単に行うことができる。
【００２３】
なお、本発明は上記各種実施形態の構成に限られることなく種々の変形が可能である。例えば、図７に示されるように、箱体３のカバー部３２の形状を、開口３０からカバー部３２の縁部に向かって低くなる形状にしてもよい。カバー部３２をこのような形状にすることにより、カバー部３２に上方から大きな力が加えられた場合であっても、カバー部３２が変形し難くなる。
【図面の簡単な説明】
【００２４】
【図１】本発明の一実施形態に係る地中埋込型照明器具の部分断面側面図。
【図２】同照明器具の施工方法の説明図。
【図３】同照明器具の施工方法の説明図。
【図４】同照明器具の施工方法の説明図。
【図５】同照明器具の施工方法の説明図。
【図６】同照明器具の設置状態において、箱体から灯具を引き出した状態を示す斜視図。
【図７】本発明の変形例に係る地中埋込型照明器具の部分断面側面図。
【符号の説明】
【００２５】
１    地中埋込型照明器具
２    灯具
３    箱体
４    電源線
５    導出部
２ａ  光出射面
２ｂ  下端部
２ｃ  灯具の側面
３１  収納部
３２  カバー部（上面部）
３１ａ  内底面
【図１】
2006318802.tif 000003
【図２】
2006318802.tif 000004
【図３】
2006318802.tif 000005
【図４】
2006318802.tif 000006
【図５】
2006318802.tif 000007
【図６】
2006318802.tif 000008
【図７】
2006318802.tif 000009